【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
委任者から代理人に対して委任された資金を管理するための資金管理サポートシステムであって、
前記資金管理サポートシステムは、
前記代理人によって操作可能とされ、前記資金の移動を請求するための資金移動請求を送信可能な代理人側端末装置と、
前記委任者によって操作可能とされ、前記資金移動請求を送信可能な委任者側端末装置と、
閲覧者によって操作可能とされ、前記資金の移動に関する履歴情報を閲覧するための情報閲覧要求を送信可能な閲覧者側端末装置と、
前記委任者側端末装置、前記代理人側端末装置、及び前記閲覧者側端末装置と通信可能な資金管理サポートサーバとを備え、
前記委任者側端末装置は、前記閲覧者側端末装置を設定するための閲覧者設定要求を送信可能であり、
前記資金管理サポートサーバは、前記委任者側端末装置から前記閲覧者設定要求を受信すると、任意の端末装置を前記閲覧者側端末装置として設定するための招待情報を前記任意の端末装置に送信する、資金管理サポートシステム。
【請求項２】
請求項１に記載の資金管理サポートシステムにおいて、
前記資金管理サポートサーバは、二次元コード（例えば、ＱＲコード（登録商標））を生成する、資金管理サポートシステム。
【請求項３】
請求項１又は２に記載の資金管理サポートシステムにおいて、
前記資金管理サポートサーバは、前記資金移動請求の受信から所定期間の経過後に前記資金移動指令を勘定系システムに対して送信する、資金管理サポートシステム。
【請求項４】
請求項３に記載の資金管理サポートシステムにおいて、
前記代理人側端末装置は、前記所定期間の内に、前記資金の移動を取り消す取消要求を送信可能であり、
前記資金管理サポートサーバは、前記代理人側端末装置から前記取消要求を受信すると、前記資金移動請求を取り消す、資金管理サポートシステム。
【請求項５】
請求項１〜４のいずれか一項に記載の資金管理サポートシステムにおいて、
前記資金管理サポートサーバは、前記委任者側端末装置から前記資金移動請求を受信すると、前記資金移動指令を勘定系システムに対して送信する、資金管理サポートシステム。
【請求項６】
請求項３に記載の資金管理サポートシステムにおいて、
前記委任者側端末装置は、前記所定期間の内に、前記資金の移動を取り消す取消要求を送信可能であり、
前記資金管理サポートサーバは、前記委任者側端末装置から前記取消要求を受信すると、前記資金移動請求を取り消す、資金管理サポートシステム。
【請求項７】
請求項１〜６のいずれか一項に記載の資金管理サポートシステムにおいて、
前記代理人側端末装置は、前記閲覧者側端末装置を設定するための閲覧者設定要求を送信可能であり、
前記資金管理サポートサーバは、前記代理人側端末装置から前記閲覧者設定要求を受信すると、任意の端末装置を前記閲覧者側端末装置として設定するための招待情報を前記任意の端末装置に送信する、資金管理サポートシステム。
【請求項８】
請求項１〜７のいずれか一項に記載の資金管理サポートシステムにおいて、
前記委任者側端末装置は、前記閲覧者側端末装置の前記情報閲覧要求の権限を解除するための解除要求を送信可能であり、
前記資金管理サポートサーバは、前記委任者側端末装置から前記解除要求を受信すると、前記閲覧者側端末装置に対する前記履歴情報の送信を停止する、資金管理サポートシステム。
【請求項９】
請求項１〜８のいずれか一項に記載の資金管理サポートシステムにおいて、
後見人によって操作可能とされ、前記資金移動請求を送信可能な後見人側端末装置をさらに備え、
前記資金管理サポートサーバは、前記後見人側端末装置から前記資金移動請求を受信すると、前記資金の移動を実行するための資金移動指令を勘定系システムに対して送信する、資金管理サポートシステム。
【請求項１０】
請求項９に記載の資金管理サポートシステムにおいて、
前記後見人側端末装置は、所定期間の内に、前記資金の移動を取り消す取消要求を送信可能であり、
前記資金管理サポートサーバは、前記後見人側端末装置から前記取消要求を受信すると、前記資金移動請求を取り消す、資金管理サポートシステム。
【請求項１１】
請求項９又は１０に記載の資金管理サポートシステムにおいて、
前記後見人側端末装置は、前記閲覧者側端末装置を設定するための閲覧者設定要求を送信可能であり、
前記資金管理サポートサーバは、前記後見人側端末装置から前記閲覧者設定要求を受信すると、任意の端末装置を前記閲覧者側端末装置として設定するための招待情報を前記任意の端末装置に送信する、資金管理サポートシステム。
【請求項１２】
請求項１〜１１のいずれか一項に記載の資金管理サポートシステムにおいて、
前記資金管理サポートサーバに後見人の申立が登録されると、前記資金管理サポートサーバは、少なくとも前記代理人側端末装置による前記資金移動請求の権限を停止する、資金管理サポートシステム。
【請求項１３】
請求項１〜１２のいずれか一項に記載の資金管理サポートシステムにおいて、
前記資金管理サポートサーバに後見人の選任が登録されると、前記資金管理サポートサーバは、前記代理人側端末装置による全ての権限を停止する、資金管理サポートシステム。
【請求項１４】
請求項１〜１３のいずれか一項に記載の資金管理サポートシステムにおいて、
前記資金移動請求は、領収書または請求書の画像データを含む、資金管理サポートシステム。
【請求項１５】
請求項１〜１４のいずれか一項に記載の資金管理サポートシステムにおいて、
前記資金管理サポートサーバは、前記資金の移動に関する情報を前記代理人側端末装置及び／又は前記閲覧者側端末装置に通知する、資金管理サポートシステム。
【請求項１６】
請求項１〜１５のいずれか一項に記載の資金管理サポートシステムにおいて、
前記資金管理サポートサーバは、前記資金の移動に関する情報を前記委任者側端末装置に通知する、資金管理サポートシステム。
【請求項１７】
請求項９〜１１のいずれか一項に記載の資金管理サポートシステムにおいて、
前記資金管理サポートサーバは、前記資金の移動に関する情報を前記後見人側端末装置に通知する、資金管理サポートシステム。
【請求項１８】
請求項１〜１７のいずれか一項に記載の資金管理サポートシステムにおいて、
前記代理人側端末装置及び／又は前記閲覧者側端末装置は、前記資金の移動に関する履歴情報をダウンロードするためのダウンロード要求を送信可能であり、
前記資金管理サポートサーバは、前記代理人側端末装置及び／又は前記閲覧者側端末装置から前記ダウンロード要求を受信すると、前記履歴情報をダウンロード可能な状態で前記代理人側端末装置及び／又は前記閲覧者側端末装置に対して送信する、資金管理サポートシステム。
【請求項１９】
請求項７に記載の資金管理サポートシステムにおいて、
前記資金管理サポートサーバは、前記招待情報を受け取った前記任意の端末装置から所定の情報を受信すると、閲覧権限の承認要求を前記代理人側端末装置に送信する、資金管理サポートシステム。
【請求項２０】
請求項１９に記載の資金管理サポートシステムにおいて、
前記代理人側端末装置は、前記閲覧権限の承認要求に対して、承認又は却下を前記資金管理サポートサーバに送信する、資金管理サポートシステム。
【請求項２１】
請求項１〜２０のいずれか一項に記載の資金管理サポートシステムにおいて、
前記資金管理サポートサーバは、前記招待情報を受け取った前記任意の端末装置から所定の情報を受信すると、閲覧権限の承認要求を前記委任者側端末装置に送信する、資金管理サポートシステム。
【請求項２２】
請求項２１に記載の資金管理サポートシステムにおいて、
前記委任者側端末装置は、前記閲覧権限の承認要求に対して、承認又は却下を前記資金管理サポートサーバに送信する、資金管理サポートシステム。
【請求項２３】
請求項１１に記載の資金管理サポートシステムにおいて、
前記資金管理サポートサーバは、前記招待情報を受け取った前記任意の端末装置から所定の情報を受信すると、閲覧権限の承認要求を前記後見人側端末装置に送信する、資金管理サポートシステム。
【請求項２４】
請求項２３に記載の資金管理サポートシステムにおいて、
前記後見人側端末装置は、前記閲覧権限の承認要求に対して、承認又は却下を前記資金管理サポートサーバに送信する、資金管理サポートシステム。
【請求項２５】
請求項１〜２４のいずれか一項に記載の資金管理サポートシステムにおいて、
前記資金管理サポートサーバに後見人の申立が登録されると、前記資金管理サポートサーバは、少なくとも、前記委任者側端末装置による、資金の払出請求権限、及び／又は払出請求の取消権限を停止する、資金管理サポートシステム。
【請求項２６】
請求項１〜２５のいずれか一項に記載の資金管理サポートシステムにおいて、
前記資金管理サポートサーバに後見人の選任が登録されると、前記資金管理サポートサーバは、前記委任者側端末装置による、追加入金権限、及び／又は全部解約権限を停止する、資金管理サポートシステム。
【請求項２７】
委任者から代理人に対して委任された資金を管理するための資金管理サポートサーバであって、
前記資金管理サポートサーバは、
前記代理人によって操作可能とされ、前記資金の移動を請求する資金移動請求を送信可能な代理人側端末装置、
閲覧者によって操作可能とされ、前記資金の移動に関する履歴情報を閲覧する情報閲覧権限を有する閲覧者側端末装置、及び
前記委任者によって操作可能とされ、前記資金移動請求を送信可能な委任者側端末装置、
と通信可能であり、
前記資金管理サポートサーバは、前記委任者側端末装置から閲覧者設定要求を受信すると、任意の端末装置を前記閲覧者側端末装置として設定するための招待情報を前記任意の端末装置に送信する、資金管理サポートサーバ。
【請求項２８】
委任者から代理人に対して委任された資金を管理するための資金管理サポートプログラムであって、
前記資金管理サポートプログラムは、前記委任者によって操作可能とされ、前記資金移動請求を送信可能な委任者側端末装置に対してその動作を制御させ、及び／又は閲覧者によって操作可能とされ、前記資金の移動に関する履歴情報を閲覧する情報閲覧権限を有する閲覧者側端末装置に対してその動作を制御させ、
前記資金管理サポートプログラムは、前記委任者側端末装置及び前記閲覧者側端末装置と通信可能な資金管理サポートサーバに対して、前記委任者側端末装置から閲覧者設定要求を受信すると、任意の端末装置を前記閲覧者側端末装置として設定するための招待情報を前記任意の端末装置に送信させる、資金管理サポートプログラム。
【請求項２９】
請求項２７に記載の資金管理サポートサーバにおいて、
前記資金管理サポートサーバは、二次元コード（例えば、ＱＲコード）を生成する、資金管理サポートサーバ。
【請求項３０】
請求項２８に記載の資金管理サポートプログラムにおいて、
前記資金管理サポートプログラムは、前記資金管理サポートサーバに二次元コード（例えば、ＱＲコード）を生成させる、資金管理サポートサーバ。